(57)【特許請求の範囲】
【請求項１】
ＲＧＢからＲＧＢＷへの色変換システムであって、
前記色変換システムは、
入力されたＲＧＢ値に対して線形化を実行して、線形化処理後のＲｉ値、Ｇｉ値、Ｂｉ値をそれぞれ算出するための線形化部と、
前記線形化処理後のＲｉ値とＧｉ値とＢｉ値とを比較して、最大値と最小値を得るための比較部と、
前記線形化処理後のＲｉ値、Ｇｉ値、Ｂｉ値を用いて明度デジタル値化処理を行って、明度デジタル値Ｌｉを得るための明度デジタル値化部と、
前記明度デジタル値Ｌｉと対応する画素数量が画像中の全画素数量において占める割合と、予め設定された所定の割合とを比較して、ゲイン値を得るためのゲイン値決定部と、
線形化処理後のＲＧＢ値・前記最大値・前記最小値・前記ゲイン値・前記所定の割合に基づいて、ＲＧＢＷ出力値を算出するための出力値計算部とからなり、
更に、
前記明度デジタル値Ｌｉと対応する画素数量が画像中の全画素数量において占める割合が前記所定の割合よりも大きいと、前記ゲイン値決定部が判断した場合には、前記ゲイン値決定部は式１を用いて前記ゲイン値を取得し、
［式１］    Ｋ＝１／Ｍ
ここで、Ｋは前記ゲイン値を表し、Ｍは前記所定の割合を表し、
前記明度デジタル値Ｌｉと対応する画素数量が画像中の全画素数量において占める割合が前記所定の割合よりも大きくないと、前記ゲイン値決定部が判断した場合には、前記ゲイン値決定部は式２を用いて前記ゲイン値を取得し、
［式２］    Ｋ＝Ｍ
更に、
前記出力値計算部は、
前記最小値が０よりも大きいか或は等しいかを判断するための判断部と、
前記判断部の判断結果及び前記ゲイン値に基づいて白色出力値を算出するための白色出力値計算部と、
線形化処理後のＲ値・前記最大値・前記白色出力値・前記所定の割合に基づいて赤色出力値を算出するための赤色出力値計算部と、
線形化処理後のＧ値・前記最大値・前記白色出力値・前記所定の割合に基づいて緑色出力値を算出するための緑色出力値計算部と、
線形化処理後のＢ値・前記最大値・前記白色出力値・前記所定の割合に基づいて青色出力値を算出するための青色出力値計算部とからなり、
前記最小値が０よりも大きいと前記判断部が判断した場合には、前記白色出力値計算部は、式３を用いて白色出力値を算出し、
［式３］    Ｗｏ＝Ｋ×［ＭＩＮ（Ｒｉ，Ｇｉ，Ｂｉ）］２
前記最小値が０と等しいと前記判断部が判断した場合には、前記白色出力値計算部は、式４を用いて白色出力値を算出し、
［式４］    Ｗｏ＝０
前記赤色出力値計算部は、式５を用いて赤色出力値を算出し、
［式５］    Ｒｏ＝Ｍ×Ｒｉ×Ｗｏ／ＭＡＸ（Ｒｉ，Ｇｉ，Ｂｉ）＋Ｒｉ−Ｗｏ
前記緑色出力値計算部は、式６を用いて緑色出力値を算出し、
［式６］    Ｇｏ＝Ｍ×Ｇｉ×Ｗｏ／ＭＡＸ（Ｒｉ，Ｇｉ，Ｂｉ）＋Ｇｉ−Ｗｏ
前記青色出力値計算部は、式７を用いて青色出力値を算出し、
［式７］    Ｂｏ＝Ｍ×Ｂｉ×Ｗｏ／ＭＡＸ（Ｒｉ，Ｇｉ，Ｂｉ）＋Ｂｉ−Ｗｏ  
ここで、Ｗｏは白色出力値を表し、Ｒｏは赤色出力値を表し、Ｇｏは緑色出力値を表し、Ｂｏは青色出力値を表し、
Ｒｉは線形化処理後のＲ値を表し、Ｇｉは線形化処理後のＧ値を表し、Ｂｉは線形化処理後のＢ値を表し、
Ｗｏは前記白色出力値を表し、
ＭＡＸ（Ｒｉ，Ｇｉ，Ｂｉ）は前記最大値を表し、ＭＩＮ（Ｒｉ，Ｇｉ，Ｂｉ）は前記最小値を表し、
Ｋは前記ゲイン値を表し、Ｍは前記所定の割合を表し、
前記明度デジタル値化部は、次の式
Ｌｉ＝０．２９９×Ｒｉ＋０．５８７×Ｇｉ＋０．１１４×Ｂｉ
によって明度デジタル値Ｌｉを算出する
ことを特徴とする色変換システム。
【請求項２】
ＲＧＢからＲＧＢＷへの色変換方法であって、
前記色変換方法は、
入力されたＲＧＢ値に対して線形化を実行して、線形化処理後のＲｉ値、Ｇｉ値、Ｂｉ値をそれぞれ算出する手順と、
前記線形化処理後のＲｉ値とＧｉ値とＢｉ値とを比較して、最大値と最小値を得る手順と、
前記線形化処理後のＲｉ値、Ｇｉ値、Ｂｉ値を用いて明度デジタル値化処理を行って、明度デジタル値Ｌｉを得る手順と、
前記明度デジタル値Ｌｉと対応する画素数量が画像中の全画素数量において占める割合と、予め設定された所定の割合とを比較して、ゲイン値を得る手順と、
線形化処理後のＲＧＢ値・前記最大値・前記最小値・前記ゲイン値・前記所定の割合に基づいて、ＲＧＢＷ出力値を算出する手順と、を含み、
更に、
前記明度デジタル値Ｌｉと対応する画素数量が画像中の全画素数量において占める割合が前記所定の割合よりも大きい場合には、式１を用いて前記ゲイン値を取得し、
［式１］    Ｋ＝１／Ｍ
ここで、Ｋは前記ゲイン値を表し、Ｍは前記所定の割合を表し、
更に、前記明度デジタル値Ｌｉと対応する画素数量が画像中の全画素数量において占める割合が前記所定の割合よりも大きくない場合には、式２を用いて前記ゲイン値を取得し、
［式２］    Ｋ＝Ｍ
更に、前記"ＲＧＢＷ出力値を算出する"手順では、
前記最小値が０よりも大きい場合には、式３を用いて白色出力値Ｗｏを算出し、
［式３］    Ｗｏ＝Ｋ×［ＭＩＮ（Ｒｉ，Ｇｉ，Ｂｉ）］２
前記最小値が０と等しい場合には、式４を用いて白色出力値Ｗｏを算出し、
さらに、式５、式６、式７により赤色出力値Ｒｏ、緑色出力値Ｇｏ、および、青色出力値Ｂｏをそれぞれ算出し、
［式５］    Ｒｏ＝Ｍ×Ｒｉ×Ｗｏ／ＭＡＸ（Ｒｉ，Ｇｉ，Ｂｉ）＋Ｒｉ−Ｗｏ
［式６］    Ｇｏ＝Ｍ×Ｇｉ×Ｗｏ／ＭＡＸ（Ｒｉ，Ｇｉ，Ｂｉ）＋Ｇｉ−Ｗｏ
［式７］    Ｂｏ＝Ｍ×Ｂｉ×Ｗｏ／ＭＡＸ（Ｒｉ，Ｇｉ，Ｂｉ）＋Ｂｉ−Ｗｏ
ここで、Ｗｏは白色出力値を表し、Ｒｏは赤色出力値を表し、Ｇｏは緑色出力値を表し、Ｂｏは青色出力値を表し、
Ｒｉは線形化処理後のＲ値を表し、Ｇｉは線形化処理後のＧ値を表し、Ｂｉは線形化処理後のＢ値を表し、
Ｗｏは前記白色出力値を表し、
ＭＡＸ（Ｒｉ，Ｇｉ，Ｂｉ）は前記最大値を表し、ＭＩＮ（Ｒｉ，Ｇｉ，Ｂｉ）は前記最小値を表し、
Ｋは前記ゲイン値を表し、Ｍは前記所定の割合を表し、
前記明度デジタル値Ｌｉを得る手順は、次の式
Ｌｉ＝０．２９９×Ｒｉ＋０．５８７×Ｇｉ＋０．１１４×Ｂｉ
によって明度デジタル値Ｌｉを算出する
ことを特徴とする色変換方法。
【発明の詳細な説明】
【技術分野】
【０００１】
本発明は、表示技術に関し、特に、ＲＧＢからＲＧＢＷへの色変換システムと方法に関する。
【背景技術】
【０００２】
現在、例えば液晶表示パネル、或は有機発光ダイオード（ＯＬＥＤ）表示パネル等を備えた表示装置では、その多くにおいて、赤色（Ｒ）サブ画素ユニットと、緑色（Ｇ）サブ画素ユニットと、青色（Ｂ）サブ画素ユニットとが組み合わされて一つの画素ユニットをなしている。各サブ画素ユニットのグレースケールの数値を制御することで、表示パネルが表示すべき色を混合出力してカラー画像を表示する。情報技術の発展に伴い、表示パネルに対する各種需要も増えており、高透過率・低消費電力・生成画像の質の高さなどが表示パネルに求められている。従来のＲＧＢ三原色混合による表示方式は、透過率及び混合効率がいずれも低めであるため、表示パネルの消費電力が大きくなって、表示パネルの発展を阻んでいる。このため、赤色（Ｒ）サブ画素ユニット・緑色（Ｇ）サブ画素ユニット・青色（Ｂ）サブ画素ユニット、及び第四サブ画素ユニット（例えば白色（Ｗ）サブ画素ユニット）が組み合わされてなる四画素ユニットを有する表示パネルが考案され、これによりＲＧＢ表示パネルの表示品質が改善された。
【０００３】
しかし、ＲＧＢＷ表示パネルにおいては、白色（Ｗ）サブ画素ユニットが加えられたことにより、赤色出力値・緑色出力値・青色出力値がいずれも減少してしまう。このため、画像全体の明度は変わらず維持されつつも、彩度（色の飽和度）は低下する。
【発明の概要】
【発明が解決しようとする課題】
【０００４】
上述した従来の技術的問題を解決するために、本発明は、ＲＧＢからＲＧＢＷへの色変換システム、及びＲＧＢからＲＧＢＷへの色変換方法を提供することを目的とする。
【課題を解決するための手段】
【０００５】
本発明のＲＧＢからＲＧＢＷへの色変換システムは、
入力されたＲＧＢ値に対して線形化を実行して、線形化処理後のＲｉ値、Ｇｉ値、Ｂｉ値をそれぞれ算出するための線形化部と、
前記線形化処理後のＲｉ値とＧｉ値とＢｉ値とを比較して、最大値と最小値を得るための比較部と、
前記線形化処理後のＲｉ値、Ｇｉ値、Ｂｉ値を用いて明度デジタル値化処理を行って明度デジタル値Ｌｉを得るための明度デジタル値化部と、
前記明度デジタル値Ｌｉと対応する画素数量が画像中の全画素数量において占める割合と、予め設定された所定の割合とを比較してゲイン値を得るためのゲイン値決定部と、
線形化処理後のＲＧＢ値・前記最大値・前記最小値・前記ゲイン値・前記所定の割合に基づいてＲＧＢＷ出力値を算出するための出力値計算部とからなる。
【０００６】
更に、前記明度デジタル値Ｌｉと対応する画素数量が画像中の全画素数量において占める割合が前記所定の割合よりも大きいとゲイン値決定部が判断した場合には、ゲイン値決定部は式１を用いて前記ゲイン値を得る。
【０００７】
［式１］    Ｋ＝１／Ｍ
【０００８】
このうち、Ｋは前記ゲイン値を表し、Ｍは前記所定の割合を表す。
【０００９】
更に、前記明度デジタル値Ｌｉと対応する画素数量が画像中の全画素数量において占める割合が前記所定の割合よりも大きくないとゲイン値決定部が判断した場合には、ゲイン値決定部は式２を用いて前記ゲイン値を得る。
【００１０】
［式２］    Ｋ＝Ｍ
【００１１】
このうち、Ｋは前記ゲイン値を表し、Ｍは前記所定の割合を表す。
【００１２】
更に、前記出力値計算部は、前記最小値が０よりも大きいか或は等しいかを判断するための判断部と、判断部の判断結果及び前記ゲイン値に基づいて白色出力値を算出するための白色出力値計算部と、線形化処理後のＲ値・前記最大値・前記白色出力値・前記所定の割合に基づいて赤色出力値を算出するための赤色出力値計算部と、線形化処理後のＧ値・前記最大値・前記白色出力値・前記所定の割合に基づいて緑色出力値を算出するための緑色出力値計算部と、線形化処理後のＢ値・前記最大値・前記白色出力値・前記所定の割合に基づいて青色出力値を算出するための青色出力値計算部とからなる。
【００１３】
更に、前記最小値が０よりも大きいと前記判断部が判断した場合には、白色出力値計算部は式３を用いて白色出力値を算出する。
【００１４】
［式３］    Ｗｏ＝Ｋ×［ＭＩＮ（Ｒｉ，Ｇｉ，Ｂｉ）］２
【００１５】
赤色出力値計算部は、式５を用いて赤色出力値を算出する。
【００１６】
［式５］    Ｒｏ＝Ｍ×Ｒｉ×Ｗｏ／ＭＡＸ（Ｒｉ，Ｇｉ，Ｂｉ）＋Ｒｉ−Ｗｏ
【００１７】
緑色出力値計算部は、式６を用いて緑色出力値を算出する。
【００１８】
［式６］    Ｇｏ＝Ｍ×Ｇｉ×Ｗｏ／ＭＡＸ（Ｒｉ，Ｇｉ，Ｂｉ）＋Ｇｉ−Ｗｏ
【００１９】
青色出力値計算部は、式７を用いて青色出力値を算出する。
【００２０】
［式７］    Ｂｏ＝Ｍ×Ｂｉ×Ｗｏ／ＭＡＸ（Ｒｉ，Ｇｉ，Ｂｉ）＋Ｂｉ−Ｗｏ
【００２１】
このうち、Ｗｏは白色出力値を表し、Ｒｏは赤色出力値を表し、Ｇｏは緑色出力値を表し、Ｂｏは青色出力値を表し、Ｒｉは線形化処理後のＲ値を表し、Ｇｉは線形化処理後のＧ値を表し、Ｂｉは線形化処理後のＢ値を表し、Ｗｏは前記白色出力値を表し、ＭＡＸ（Ｒｉ，Ｇｉ，Ｂｉ）は前記最大値を表し、ＭＩＮ（Ｒｉ，Ｇｉ，Ｂｉ）は前記最小値を表し、Ｋは前記ゲイン値を表し、Ｍは前記所定の割合を表す。
【００２２】
更に、前記最小値が０と等しいと前記判断部が判断した場合には、白色出力値計算部は式４を用いて白色出力値を算出する。
【００２３】
［式４］    Ｗｏ＝０
【００２４】
赤色出力値計算部は、式５を用いて赤色出力値を算出する。
【００２５】
［式５］    Ｒｏ＝Ｍ×Ｒｉ×Ｗｏ／ＭＡＸ（Ｒｉ，Ｇｉ，Ｂｉ）＋Ｒｉ−Ｗｏ
【００２６】
緑色出力値計算部は、式６を用いて緑色出力値を算出する。
【００２７】
［式６］    Ｇｏ＝Ｍ×Ｇｉ×Ｗｏ／ＭＡＸ（Ｒｉ，Ｇｉ，Ｂｉ）＋Ｇｉ−Ｗｏ
【００２８】
青色出力値計算部は、式７を用いて青色出力値を算出する。
【００２９】
［式７］    Ｂｏ＝Ｍ×Ｂｉ×Ｗｏ／ＭＡＸ（Ｒｉ，Ｇｉ，Ｂｉ）＋Ｂｉ−Ｗｏ
【００３０】
このうち、Ｗｏは白色出力値を表し、Ｒｏは赤色出力値を表し、Ｇｏは緑色出力値を表し、Ｂｏは青色出力値を表し、Ｒｉは線形化処理後のＲ値を表し、Ｇｉは線形化処理後のＧ値を表し、Ｂｉは線形化処理後のＢ値を表し、Ｗｏは前記白色出力値を表し、ＭＡＸ（Ｒｉ，Ｇｉ，Ｂｉ）は前記最大値を表し、ＭＩＮ（Ｒｉ，Ｇｉ，Ｂｉ）は前記最小値を表し、Ｋは前記ゲイン値を表し、Ｍは前記所定の割合を表す。
【００３１】
また、本発明のＲＧＢからＲＧＢＷへの色変換方法は、以下の手順を含む。入力されたＲＧＢ値に対して線形化を実行する。線形化処理後のＲＧＢ値に対して比較を行って、最大値と最小値を得るとともに線形化処理後のＲＧＢ値に対して明度デジタル値化処理を行って、明度デジタル値を得る。前記明度デジタル値と対応する画素数量が画像中の全画素数量において占める割合と所定の割合とを比較して、ゲイン値を得る。線形化処理後のＲＧＢ値・前記最大値・前記最小値・前記ゲイン値・前記所定の割合に基づいて、ＲＧＢＷ出力値を算出する。
【００３２】
更に、前記明度デジタル値と対応する画素数量が画像中の全画素数量において占める割合が前記所定の割合よりも大きい場合には、式１を用いて前記ゲイン値を得る。
【００３３】
［式１］    Ｋ＝１／Ｍ
【００３４】
このうち、Ｋは前記ゲイン値を表し、Ｍは前記所定の割合を表す。
【００３５】
更に、前記明度デジタル値と対応する画素数量が画像中の全画素数量において占める割合が前記所定の割合よりも大きくない場合には、式２を用いて前記ゲイン値を得る。
【００３６】
［式２］    Ｋ＝Ｍ
【００３７】
このうち、Ｋは前記ゲイン値を表し、Ｍは前記所定の割合を表す。
【００３８】
更に、前記"ＲＧＢＷ出力値を算出する"は、以下の手順を含む。前記最小値が０よりも大きいか或は等しいかを判断する。判断結果に基づき、前記ゲイン値・線形化処理後のＲＧＢ値・前記最大値・前記白色出力値・前記所定の割合を利用してＲＧＢＷ出力値を算出する。
【００３９】
更に、前記最小値が０よりも大きい場合には、式３・式５・式６・式７を用いてＲＧＢＷ出力値を算出する。
【００４０】
［式３］    Ｗｏ＝Ｋ×［ＭＩＮ（Ｒｉ，Ｇｉ，Ｂｉ）］２
【００４１】
［式５］    Ｒｏ＝Ｍ×Ｒｉ×Ｗｏ／ＭＡＸ（Ｒｉ，Ｇｉ，Ｂｉ）＋Ｒｉ−Ｗｏ
【００４２】
［式６］    Ｇｏ＝Ｍ×Ｇｉ×Ｗｏ／ＭＡＸ（Ｒｉ，Ｇｉ，Ｂｉ）＋Ｇｉ−Ｗｏ
【００４３】
［式７］    Ｂｏ＝Ｍ×Ｂｉ×Ｗｏ／ＭＡＸ（Ｒｉ，Ｇｉ，Ｂｉ）＋Ｂｉ−Ｗｏ
【００４４】
このうち、Ｗｏは白色出力値を表し、Ｒｏは赤色出力値を表し、Ｇｏは緑色出力値を表し、Ｂｏは青色出力値を表し、Ｒｉは線形化処理後のＲ値を表し、Ｇｉは線形化処理後のＧ値を表し、Ｂｉは線形化処理後のＢ値を表し、Ｗｏは前記白色出力値を表し、ＭＡＸ（Ｒｉ，Ｇｉ，Ｂｉ）は前記最大値を表し、ＭＩＮ（Ｒｉ，Ｇｉ，Ｂｉ）は前記最小値を表し、Ｋは前記ゲイン値を表し、Ｍは前記所定の割合を表す。
【００４５】
更に、前記最小値が０と等しい場合には、式４・式５・式６・式７を用いてＲＧＢＷ出力値を算出する。
【００４６】
［式４］    Ｗｏ＝０
【００４７】
［式５］    Ｒｏ＝Ｍ×Ｒｉ×Ｗｏ／ＭＡＸ（Ｒｉ，Ｇｉ，Ｂｉ）＋Ｒｉ−Ｗｏ
【００４８】
［式６］    Ｇｏ＝Ｍ×Ｇｉ×Ｗｏ／ＭＡＸ（Ｒｉ，Ｇｉ，Ｂｉ）＋Ｇｉ−Ｗｏ
【００４９】
［式７］    Ｂｏ＝Ｍ×Ｂｉ×Ｗｏ／ＭＡＸ（Ｒｉ，Ｇｉ，Ｂｉ）＋Ｂｉ−Ｗｏ
【００５０】
このうち、Ｗｏは白色出力値を表し、Ｒｏは赤色出力値を表し、Ｇｏは緑色出力値を表し、Ｂｏは青色出力値を表し、Ｒｉは線形化処理後のＲ値を表し、Ｇｉは線形化処理後のＧ値を表し、Ｂｉは線形化処理後のＢ値を表し、Ｗｏは前記白色出力値を表し、ＭＡＸ（Ｒｉ，Ｇｉ，Ｂｉ）は前記最大値を表し、ＭＩＮ（Ｒｉ，Ｇｉ，Ｂｉ）は前記最小値を表し、Ｋは前記ゲイン値を表し、Ｍは前記所定の割合を表す。
【発明の効果】
【００５１】
本発明は、白色（Ｗ）サブ画素ユニットを加えると同時に、赤色出力値・緑色出力値・青色出力値の減少を招くことが無い。よって、画像全体の明度が変わらず保たれると同時に、彩度を向上させることが出来る。
【図面の簡単な説明】
【００５２】
図面を参照しつつ以下で説明することにより、本発明の実施例の上述及び他方面での形態、特徴や長所について更に詳らかにする。
【図１】本発明の実施例における表示装置のブロック図である。
【図２】本発明の実施例における表示パネルの構造図である。
【図３】本発明の実施例におけるＲＧＢからＲＧＢＷへの色変換システムの原理を示したブロック図である。
【図４】本発明の実施例における出力値計算部の原理を示したブロック図である。
【図５】本発明の実施例におけるＲＧＢからＲＧＢＷへの色変換方法のフロー図である。
【発明を実施するための形態】
【００５３】
以下では、図面を参照しつつ本発明の実施例について詳述する。しかしながら、様々な形態によって本発明を実施することが可能であり、本発明はここで記述する具体的な実施例に限定されると見なされるべきではない。ここで示す実施例は、あくまで本発明の原理と実際の使用について説明するためのものであり、これにより本分野の技術者は、本発明の種々の実施例を理解するとともに、想定される特定の使用に適うように各種の変更を行うことが出来る。
【００５４】
（実施例１）
本実施例の表示装置は、例えば液晶表示装置（ＬＣＤ）・有機発光ダイオード（ＯＬＥＤ）表示装置等であることが可能である。
【００５５】
図１は、本発明の実施例における表示装置のブロック図である。図２は、本発明の実施例における表示パネルの構造図である。
【００５６】
図１と図２を参照する。本発明の実施例における表示装置は、表示パネル１と、走査駆動器２と、データ駆動器３と、ＲＧＢからＲＧＢＷへの色変換システム４とからなる。
【００５７】
表示パネル１は、行方向に沿って延伸した走査線Ｇ１〜Ｇｍ（このうち、ｍは自然数である）と、列方向に沿って延伸したデータ線Ｓ１〜Ｓｎ（このうち、ｎは自然数である）とからなる。走査線Ｇ１〜Ｇｍはいずれも走査駆動器２と接続され、データ線Ｓ１〜Ｓｎはいずれもデータ駆動器３と接続される。
【００５８】
サブ画素Ｌｉｊ（赤色（Ｒ）サブ画素・緑色（Ｇ）サブ画素・青色（Ｂ）サブ画素或は白色（Ｗ）サブ画素）は、走査線Ｇｉ・Ｇｉ＋１（このうち、ｉは１〜ｍである）とデータ線Ｓｊ・Ｓｊ＋１（このうち、ｊは１〜ｎである）によって定められたエリア内に設けられる。このうち、一つの赤色（Ｒ）サブ画素・一つの緑色（Ｇ）サブ画素・一つの青色（Ｂ）サブ画素・一つの白色（Ｗ）サブ画素は、一つの画素をなす。
【００５９】
薄膜トランジスタ（ＴＦＴ）Ｑｉｊは、走査線Ｇｉとデータ線Ｓｊの各交差箇所の近くに設けられる。
【００６０】
更に、走査線Ｇｉは薄膜トランジスタＱｉｊのゲートと接続され、データ線Ｓｊは薄膜トランジスタＱｉｊのソースと接続され、サブ画素Ｌｉｊ（赤色（Ｒ）サブ画素・緑色（Ｇ）サブ画素・青色（Ｂ）サブ画素或は白色（Ｗ）サブ画素）の画素電極は薄膜トランジスタＱｉｊのドレインと接続される。
【００６１】
サブ画素Ｌｉｊの画素電極と相対するコモン電極は、コモン電圧回路（図示せず）に接続される。
【００６２】
走査駆動器２とデータ駆動器３は、表示パネル１の周囲に設けられる。ＲＧＢからＲＧＢＷへの色変換システム４は、入力されたＲＧＢ値を出力するＲＧＢＷ値（即ちＲＧＢＷ出力値）に変換するとともにデータ駆動器３に提供する。尚、ここで入力されるＲＧＢ値は、例えば外部ホスト、或はグラフィックコントローラ（図示せず）によって提供されることが可能である。
【００６３】
データ駆動器３は、ＲＧＢからＲＧＢＷへの色変換システム４より送られた出力ＲＧＢＷ値を受信・処理することで、アナログ式データ信号を発するとともにデータ線Ｓ１〜Ｓｎに提供する。走査駆動器２は、走査線Ｇ１〜Ｇｍの順に従って複数個の走査信号を提供する。
【００６４】
図３は、本発明の実施例におけるＲＧＢからＲＧＢＷへの色変換システムの原理を示したブロック図である。
【００６５】
図３を参照する。本発明の実施例におけるＲＧＢからＲＧＢＷへの色変換システム４は、線形化部４１と、比較部４２と、デジタル値化部４３と、ゲイン値決定部４４と、出力値計算部４５とからなる。
【００６６】
線形化部４１は入力されたＲＧＢ値に対する線形化を実行する。線形化部４１は、比較部４２がＲＧＢ値における最大値と最小値を決定する前に、入力されたＲＧＢ値に対して線形化を行う。入力されたＲＧＢ値の線形化は、入力されたＲＧＢ値を出力明度と線形に比例する値に変換する処理を示すと言える。線形化部４１は、線形化処理後のＲＧＢ値を比較部４２・デジタル値化部４３・出力値計算部４５に提供する。
【００６７】
比較部４２は、線形化部４１から提供された線形化処理後のＲＧＢ値を受信するとともに、受信した線形化処理後のＲＧＢ値に対して比較を行うことで、最大値と最小値を決定する。最大値は、線形化処理後のＲＧＢ値の最大値であるとともに、ＭＡＸ（Ｒｉ，Ｇｉ，Ｂｉ）によって表され、このうち、Ｒｉは線形化処理後のＲ値を表し、Ｇｉは線形化処理後のＧ値を表し、Ｂｉは線形化処理後のＢ値を表す。最小値は、線形化処理後のＲＧＢ値の最小値であるとともに、ＭＩＮ（Ｒｉ，Ｇｉ，Ｂｉ）によって表される。比較部４２は、最大値ＭＡＸ（Ｒｉ，Ｇｉ，Ｂｉ）と最小値ＭＩＮ（Ｒｉ，Ｇｉ，Ｂｉ）を出力値計算部４５に提供する。
【００６８】
デジタル値化部４３は、線形化部４１から提供された線形化処理後のＲＧＢ値を受信するとともに、受信した線形化処理後のＲＧＢ値に対して明度のデジタル値化処理を行うことで、明度デジタル値Ｌｉを得る。デジタル値化部は下記の式１によって、受信した線形化処理後のＲＧＢ値に対する明度のデジタル値化処理を行う。
【００６９】
［式１］
Ｌｉ＝０．２９９×Ｒｉ＋０．５８７×Ｇｉ＋０．１１４×Ｂｉ
【００７０】
デジタル値化部４３は、取得した明度デジタル値Ｌｉをゲイン値決定部４４に提供する。
【００７１】
ゲイン値決定部４４は、デジタル値化部４３から提供された明度デジタル値Ｌｉを受信するとともに、受信した明度デジタル値Ｌｉに基づき、明度ヒストグラムにおいて明度デジタル値Ｌｉと対応する画素数量割合を決定し、且つ決定した明度デジタル値Ｌｉと対応する画素数量が画像中の全画素数量において占める割合と、内蔵された所定割合Ｍとを比較し、これによりゲイン値Ｋを決定する。ここで、明度デジタル値Ｌｉと対応する画素数量が画像中の全画素数量において占める割合が所定割合Ｍよりも大きいと、ゲイン値決定部４４が決定した場合には、ゲイン値決定部４４はゲイン値Ｋ＝１／Ｍを決定する。また、明度デジタル値Ｌｉと対応する画素数量が画像中の全ての画素数量において占める割合が所定割合Ｍよりも大きくないと、ゲイン値決定部４４が決定した場合には、ゲイン値決定部４４はゲイン値Ｋ＝Ｍを決定する。ゲイン値決定部４４は、決定したゲイン値Ｋ及び内蔵された所定割合Ｍを出力値計算部４５に提供する。
【００７２】
出力値計算部４５は、線形化部４１から提供された線形化処理後のＲＧＢ値と、比較部４２によって決定された最大値ＭＡＸ（Ｒｉ，Ｇｉ，Ｂｉ）及び最小値ＭＩＮ（Ｒｉ，Ｇｉ，Ｂｉ）と、ゲイン値決定部４４によって決定されたゲイン値Ｋ及びゲイン値決定部４４から提供された所定割合Ｍとを受信するとともに、受信したこれらの、線形化部４１から提供された線形化処理後のＲＧＢ値と、比較部４２によって決定された最大値ＭＡＸ（Ｒｉ，Ｇｉ，Ｂｉ）及び最小値ＭＩＮ（Ｒｉ，Ｇｉ，Ｂｉ）と、ゲイン値決定部４４によって決定されたゲイン値Ｋ及びゲイン値決定部４４から提供された所定割合Ｍとに基づき、出力すべきＲＧＢＷ値（赤色出力値と緑色出力値と青色出力値と白色出力値とからなる）を算出する。
【００７３】
以下では、本発明の実施例における出力値計算部４５について詳しく説明する。
【００７４】
図４は、本発明の実施例における出力値計算部の原理を示したブロック図である。
【００７５】
図４を参照する。本発明の実施例における出力値計算部４５は、判断部４５１と、白色出力値計算部４５２と、赤色出力値計算部４５３と、緑色出力値計算部４５４と、青色出力値計算部４５５とからなる。
【００７６】
判断部４５１は、比較部４２によって決定された最小値ＭＩＮ（Ｒｉ，Ｇｉ，Ｂｉ）を受信するとともに、受信した最小値ＭＩＮ（Ｒｉ，Ｇｉ，Ｂｉ）が０よりも大きいか或は等しいかを判断する。判断部４５１は、判断結果を白色出力値計算部４５２・赤色出力値計算部４５３・緑色出力値計算部４５４・青色出力値計算部４５５に提供する。
【００７７】
白色出力値計算部４５２は、判断部４５１から提供された判断結果と、ゲイン値決定部４４によって決定されたゲイン値Ｋとを受信するとともに、受信した判断結果とゲイン値Ｋに基づき、白色出力値（即ちＷ出力値）を算出する。
【００７８】
ここで、最小値ＭＩＮ（Ｒｉ，Ｇｉ，Ｂｉ）が０よりも大きいと判断部４５１が判断した場合には、白色出力値計算部４５２は下記の式２に基づいて白色出力値を算出する。
【００７９】
［式２］    Ｗｏ＝Ｋ×［ＭＩＮ（Ｒｉ，Ｇｉ，Ｂｉ）］２
【００８０】
このうち、Ｗｏは白色出力値を表す。
【００８１】
また、最小値ＭＩＮ（Ｒｉ，Ｇｉ，Ｂｉ）が０と等しいと判断部４５１が判断した場合には、白色出力値計算部４５２は下記の式３に基づいて白色出力値を算出する。
【００８２】
［式３］    Ｗｏ＝０
【００８３】
このうち、Ｗｏは白色出力値を表す。
【００８４】
白色出力値計算部４５２は、算出した白色出力値を赤色出力値計算部４５３・緑色出力値計算部４５４・青色出力値計算部４５５に提供する。
【００８５】
赤色出力値計算部４５３は、線形化部４１から提供された線形化処理後のＲ値と、比較部４２によって決定された最大値ＭＡＸ（Ｒｉ，Ｇｉ，Ｂｉ）と、白色出力値計算部４５２から提供された白色出力値と、ゲイン値決定部４４から提供された内蔵の所定割合Ｍとを受信するとともに、受信したこれらの、線形化部４１から提供された線形化処理後のＲ値と、比較部４２によって決定された最大値ＭＡＸ（Ｒｉ，Ｇｉ，Ｂｉ）と、白色出力値計算部４５２から提供された白色出力値と、ゲイン値決定部４４から提供された内蔵の所定割合Ｍとに基づき、赤色出力値を算出する。赤色出力値計算部４５３は、下記の式４に基づいて赤色出力値（即ちＲ出力値）を算出する。
【００８６】
［式４］
Ｒｏ＝Ｍ×Ｒｉ×Ｗｏ／ＭＡＸ（Ｒｉ，Ｇｉ，Ｂｉ）＋Ｒｉ−Ｗｏ
【００８７】
このうち、Ｒｏは赤色出力値を表す。
【００８８】
緑色出力値計算部４５４は、線形化部４１から提供された線形化処理後のＧ値と、比較部４２によって決定された最大値ＭＡＸ（Ｒｉ，Ｇｉ，Ｂｉ）と、白色出力値計算部４５２から提供された白色出力値と、ゲイン値決定部４４から提供された内蔵の所定割合Ｍとを受信するとともに、受信したこれらの、線形化部４１から提供された線形化処理後のＧ値と、比較部４２によって決定された最大値ＭＡＸ（Ｒｉ，Ｇｉ，Ｂｉ）と、白色出力値計算部４５２から提供された白色出力値と、ゲイン値決定部４４から提供された内蔵の所定割合Ｍとに基づき、緑色出力値を算出する。緑色出力値計算部４５４は、下記の式５に基づいて緑色出力値（即ちＧ出力値）を算出する。
【００８９】
［式５］
Ｇｏ＝Ｍ×Ｇｉ×Ｗｏ／ＭＡＸ（Ｒｉ，Ｇｉ，Ｂｉ）＋Ｇｉ−Ｗｏ
【００９０】
このうち、Ｇｏは緑色出力値を表す。
【００９１】
青色出力値計算部４５５は、線形化部４１から提供された線形化処理後のＢ値と、比較部４２によって決定された最大値ＭＡＸ（Ｒｉ，Ｇｉ，Ｂｉ）と、白色出力値計算部４５２から提供された白色出力値と、ゲイン値決定部４４から提供された内蔵の所定割合Ｍとを受信するとともに、受信したこれらの、線形化部４１から提供された線形化処理後のＢ値と、比較部４２によって決定された最大値ＭＡＸ（Ｒｉ，Ｇｉ，Ｂｉ）と、白色出力値計算部４５２から提供された白色出力値と、ゲイン値決定部４４から提供された内蔵の所定割合Ｍとに基づき、青色出力値を算出する。青色出力値計算部４５５は、下記の式６に基づいて青色出力値（即ちＢ出力値）を算出する。
【００９２】
［式６］
Ｂｏ＝Ｍ×Ｂｉ×Ｗｏ／ＭＡＸ（Ｒｉ，Ｇｉ，Ｂｉ）＋Ｂｉ−Ｗｏ
【００９３】
このうち、Ｂｏは青色出力値を表す。
【００９４】
（実施例２）
図５は、本発明の実施例におけるＲＧＢからＲＧＢＷへの色変換方法を示したフロー図である。
【００９５】
図３〜図５を参照する。手順５０１において、線形化部４１は入力されたＲＧＢ値に対する線形化を実行する。ここで線形化部４１は、比較部４２がＲＧＢ値における最大値と最小値を決定する前に、入力されたＲＧＢ値に対する線形化を行う。入力されたＲＧＢ値の線形化は、入力されたＲＧＢ値を出力明度と線形に比例する値に変換する処理を示すと言える。
【００９６】
手順５０２において、比較部４２は線形化処理後のＲＧＢ値に対して比較を行うことで、最大値と最小値を決定する。最大値は線形化処理後のＲＧＢ値の最大値であるとともに、ＭＡＸ（Ｒｉ，Ｇｉ，Ｂｉ）と表される。このうち、Ｒｉは線形化処理後のＲ値を表し、Ｇｉは線形化処理後のＧ値を表し、Ｂｉは線形化処理後のＢ値を表す。最小値は線形化処理後のＲＧＢ値の最小値であるとともに、ＭＩＮ（Ｒｉ，Ｇｉ，Ｂｉ）と表される。
【００９７】
手順５０３において、デジタル値化部４３は線形化処理後のＲＧＢ値に対して明度のデジタル値化処理を行うことで、明度デジタル値Ｌｉを得る。デジタル値化部４３は上記の式１によって、線形化処理後のＲＧＢ値に対する明度のデジタル値化処理を行う。
【００９８】
手順５０４において、ゲイン値決定部４４は明度ヒストグラムにおいて明度デジタル値Ｌｉと対応する画素数量割合を決定するとともに、決定した明度デジタル値Ｌｉと対応する画素数量が画像中の全画素数量において占める割合と、内蔵の所定割合Ｍとを比較することにより、ゲイン値Ｋを決定する。ここで、明度デジタル値Ｌｉと対応する画素数量が画像中の全画素数量において占める割合が所定割合Ｍよりも大きいと、ゲイン値決定部４４が決定した場合には、ゲイン値決定部４４はゲイン値Ｋ＝１／Ｍを決定する。また、明度デジタル値Ｌｉと対応する画素数量が画像中の全画素数量において占める割合が所定割合Ｍよりも大きくないと、ゲイン値決定部４４が決定した場合には、ゲイン値決定部４４はゲイン値Ｋ＝Ｍを決定する。
【００９９】
手順５０５において、出力値計算部４５は線形化処理後のＲＧＢ値と、最大値ＭＡＸ（Ｒｉ，Ｇｉ，Ｂｉ）と、最小値ＭＩＮ（Ｒｉ，Ｇｉ，Ｂｉ）と、ゲイン値Ｋと、所定割合Ｍとに基づき、ＲＧＢＷ出力値（赤色（Ｒ）出力値と緑色（Ｇ）出力値と青色（Ｂ）出力値と白色（Ｗ）出力値とからなる）を算出する。
【０１００】
上述した手順において、手順５０２と手順５０３は入れ替えて実行されるか、或は手順５０２と手順５０３は同時に実行されることが可能である。
【０１０１】
このほか、図５の手順５０５１から手順５０５３で記述されている各種の方法を通してＲＧＢＷ出力値を算出することが可能である。
【０１０２】
手順５０５１において、判断部４５１は最小値ＭＩＮ（Ｒｉ，Ｇｉ，Ｂｉ）が０よりも大きいか或は等しいかを判断する。
【０１０３】
手順５０５２では、判断結果に基づき、前記ゲイン値・線形化処理後のＲＧＢ値・前記最大値・前記白色出力値・前記所定の割合を利用して、ＲＧＢＷ出力値を算出する。
【０１０４】
ここで、最小値ＭＩＮ（Ｒｉ，Ｇｉ，Ｂｉ）が０よりも大きいと判断部４５１が判断した場合には、白色出力値計算部４５２は上記の式２に基づいて白色出力値を算出し、赤色出力値計算部４５３は上記の式４に基づいて赤色出力値を算出し、緑色出力値計算部４５４は上記の式５に基づいて緑色出力値を算出し、青色出力値計算部４５５は上記の式６に基づいて青色出力値を算出する。
【０１０５】
また、最小値ＭＩＮ（Ｒｉ，Ｇｉ，Ｂｉ）が０と等しいと判断部４５１が判断した場合には、白色出力値計算部４５２は上記の式３に基づいて白色出力値を算出し、赤色出力値計算部４５３は上記の式４に基づいて赤色出力値を算出し、緑色出力値計算部４５４は上記の式５に基づいて緑色出力値を算出し、青色出力値計算部４５５は上記の式６に基づいて青色出力値を算出する。
【０１０６】
総じて言えば、本発明の実施例によって、たとえ白色（Ｗ）サブ画素ユニットを加えたとしても、赤色出力値・緑色出力値・青色出力値の減少を招くことが無くなるため、画像全体の明度が変わらずに保たれると同時に、彩度が向上する。
【０１０７】
以上では特定の実施例を示して本発明について説明した。しかし、本分野の技術者であれば理解されるように、特許請求及びその同等物によって定められる本発明の構想と範囲において、形式や細部の様々な変更を行うことが可能である。
【符号の説明】
【０１０８】
１                        表示パネル
２                        走査駆動器
３                        データ駆動器
４                        ＲＧＢからＲＧＢＷへの色変換システム
４１                    線形化部
４２                    比較部
４３                    デジタル値化部
４４                    ゲイン値決定部
４５                    出力値計算部
４５１                判断部
４５２                白色出力値計算部
４５３                赤色出力値計算部
４５４                緑色出力値計算部
４５５                青色出力値計算部
Ｇ１〜Ｇｍ        走査線
Ｓ１〜Ｓｎ        データ線
Ｑｉｊ                薄膜トランジスタ
Ｌｉｊ                サブ画素
Ｌｉ                    明度デジタル値
Ｋ                        ゲイン値
Ｍ                        所定割合
【図１】
0006373479.tif 000002
【図２】
0006373479.tif 000003
【図３】
0006373479.tif 000004
【図４】
0006373479.tif 000005
【図５】
0006373479.tif 000006